(57)【要約】      （修正有）【課題】平常時および勃起時に外れない事と、勃起時締め付けて痛くならない事とを満たした仮性包茎器具と、その付属品で取り外しが簡単な落下防止ストラップを提供する。【解決手段】中空構造のゴム糸２と、ゴム糸で結ぶ構造のゴム糸接続端子３と、球型磁石４とで仮性包茎器具の本体を構成し、付属の落下防止用ストラップには磁石１５を付けて磁石相互の吸着特性により簡単に取り外しできるものとした。【選択図】図７
0003190249.tif 000002
【実用新案登録請求の範囲】
【請求項１】
柔軟性のあるチューブ２本（１Ａ）（１Ｂ）と、伸縮性があり中空構造のゴム糸（２）と、これらを接続するゴム糸接続固定端子２個（３Ａ）（３Ｂ）及び、永久磁石（４）と、その永久磁石と該チューブを接続する磁石接続固定端子２個（５Ａ）（５Ｂ）で構成され、これらを連結して環状をなすことを特徴とする仮性包茎器具。
【請求項２】
請求項１のゴム糸接続端子は、頭部と足部からなり、その足部の上下に１本又は２本のゴム糸貫通穴を有し、端子と端子をゴム糸で結びとめる事が出来る構造を有する事を特徴とした仮性包茎器具。
【請求項３】
柔軟性のあるチューブ１本と複数の球型永久磁石（４）と、該永久磁石と該チューブとを接続する磁石接続固定端子２個（５Ａ）（５Ｂ）で構成され、これらを連結して環状をなすことを特徴とする仮性包茎器具。
【請求項４】
紐（１４）と留め具（１３）と器具保持用磁石（１５）からなり、該紐の一端部に留め具を接続し、他端部に磁石が接続されている構造であって、請求項１及び請求項３の包茎器具の磁石（４）をこの磁石で吸着保持すると共に一方の留め具を下着等に留め固定する請求項１及び請求項３の付属品を特徴とした紛失防止ストラップ。
【考案の詳細な説明】
【技術分野】
【０００１】  本考案は、男性器の仮性包茎器具とそれに付属するストラップに関するものである。
【背景技術】
【０００２】  従来から男性器の亀頭を露出する装置である仮性包茎器具は、包皮が亀頭に被ってこないように合成樹脂等を素材としたリング状の器具を男性器に装着して包皮を堰き止める方法や、球状磁石を連結したリング状の物を装着する方法で、その磁石の吸着力を利用して器具の着脱を容易にする方法や、糊タイプの物を包皮に塗布し包皮を固定して亀頭に被らないようにする方法等が広く知られている。【０００３】  しかしながら、従来の仮性包茎器具は、勃起時に締め付けられて痛くなるとか、委縮した時外れるとか、人前で外れ足元に落下して恥ずかしい思いをするとか、いつの間にか紛失する等という欠点があった。【０００４】  又、特開２００４−１７４１９５で公開技術の包茎器具の構成の一部に丸紐タイプのゴム糸は、勃起時伸びて陰茎の締め付け感を軽減する効果はあるものの、細い丸紐のゴム糸は勃起時に陰茎に食い込む欠点があり、更には公開技術では端子の足とチューブ内壁面でゴム糸を押さえるだけの構造の為、使用中にゴム糸が滑りその長さが長く成り易くその都度元の長さに調整を要する欠点があった。又、磁石を連結したタイプの器具もそのサイズが変わらないので勃起して陰茎が大きくなった時陰茎を締め付け痛かったり、逆に委縮した時は外れたりする欠点があった。
【先行技術文献】
【特許文献】
【０００５】
【特許文献１】特開２００４−１７４１９５号広報
【特許文献２】特開２００７−１４４０８８号広報
【特許文献３】特願２００１−２２２８４０号広報
【特許文献４】特願２００１−２８５９１４号広報
【特許文献５】実願２００８−１３７４号広報
【考案の概要】
【考案が解決しようとする課題】
【０００６】  本考案は、以上の様な従来の欠点に鑑み、勃起時に痛くならない構造にする課題と、使用中にゴム糸の長さを一定に保つ課題とを解決する共に仮性包茎器具及び付属する専用の落下防止ストラップを提供しようとする事を目的としている。
【課題を解決するための手段】
【０００７】  上記課題を解決するため、本体を構成しているゴム糸（２）の構造を中空構造とし、その両端の端子の足（７）に２か所の貫通穴（８）（９）を設け、その穴に前述の中空構造のゴム糸（２）を通し、そのゴム糸の両端に端子を結び付けると共に、本体の構成部材の中に球型永久磁石（４）を組み込み、その磁石（４）と落下防止ストラップに付けた磁石（１５）とが吸着保持するストラップすることで解決を図った。
【考案の効果】
【０００８】  以上の説明で明らかのように、本考案にあっては次に列挙する効果が得られる。
従来のゴム糸は直径１．２ｍｍ程度の細い丸紐型のゴム糸の為、勃起した時ゴム糸が陰茎の接触面に食い込んで痛かったが、本考案の中空構造のゴム糸（２）は直径１．８ｍｍ以上と太く、更に内径１．４ｍｍの中空構造のため勃起時は中空が押しつぶされることでクッションの役目と合わせて陰茎との接触面が広くなり一層食い込み難くなる効果がある。【０００９】  又、そのゴム糸とチューブを繋ぐ端子の足（７）に２か所の貫通穴（８）（９）を設け、その穴に中空状のゴム糸（２）を通しそのゴム糸の両端に端子を結び付けることとで端子と端子がゴム糸で確実に結ばれ間隔が一定に保たれ使用中に間隔が変化しない効果がある。【００１０】  本体に付属する紛失防止ストラップについては、ストラップの紐の一端に付けたクリップ（１３）を下着に固定し、他端につけた磁石（１５）は包茎器具の磁石（４）とくっ付けたり引き離したりできるので、本体とストラップの着脱が容易になる効果がある。【００１１】  本体磁石（４）は陰茎に装着した時尿道側に位置する部材の為複数個組み込むことで本体を陰茎に着脱する時、これらの磁石をくっつけたり離したりする着脱装置の効果もある。
【図面の簡単な説明】
【００１２】
【図１】本考案の仮性包茎器具本体の構成概略図である。
【図２】本考案の仮性包茎器具本体の構成概略断面図である。
【図３】請求項２のゴム糸接続端子の詳細図の断面図である
【図４】異なる磁石の数で組み合わせる実施例を示した概略図である
【図５】磁石を多用し磁石に皮膜をした実施例の概略図である
【図６】磁石を多く使った実施例のゴム糸接続端子の断面図である
【図７】仮性包茎器具とストラップを組み合わせた本考案の概略図である
【図８】仮性包茎器具を装着した時のイメージ概略図である
【考案を実施するための形態】
【００１３】  以下考案を実施するための形態を図面に基づき説明する。
図１は本考案本体の仮性包茎器具を説明するための構成概略図である。尚、以後の説明において永久磁石を単に磁石と呼称する。また、実施例の説明において寸法等を示しているが、これは一例でありこれらの寸法に限定される物ではない。
【実施例１】
【００１４】  請求項１に記載の本考案本体の構成は、図１の左側に位置するチューブ（１Ａ）と右側のチューブ（１Ｂ）と、ゴム糸（２）と、これらを繋ぐゴム糸接続端子（３Ａ）及び、右側のゴム糸接続端子（３Ｂ）そして、磁石（４）と左側チューブ（１Ａ）を繋ぐ磁石接続端子（５Ａ）と右側チューブ（１Ｂ）を繋ぐ磁石接続端子（５Ｂ）で構成しており、これら全てを繋ぎ合わせると環状の仮性包茎器具になることが特徴である。【００１５】  図２は、本考案本体の構成概略断面図である。
本体を最も詳細に説明するため図１のゴム糸接続端子（３Ｂ）のゴム糸接続端子の足（７Ｂ）をチューブ（１Ｂ）に差し込む前の様子を示した断面図である。
尚、前述のゴム糸接続端子（３Ａ）（３Ｂ）は端子の頭（６Ａ）（６Ｂ）と端子の足（７Ａ）（７Ｂ）とで構成する。【００１６】  それでは、この断面図をもとに本考案の構成を詳しく説明する。
図２に示す様に左右のチューブ（１Ａ）（１Ｂ）は均一な内径の中空構造であって、その穴の中に円柱型のゴム糸接続端子の足（７Ａ）を差し込むと、その端子（３Ａ）はチューブに固定される。（３Ａ）と同様に、磁石接続端子（５Ａ）（５Ｂ）もチューブ（１Ａ）（１Ｂ）に差し込む事により、これらがそれぞれチューブの両端に固定する。
但し、この図では右側の端子（３Ｂ）は、チューブの穴に足（７Ｂ）差し込む前であるため未だチューブに固定していないが使用する時は差し込んで使う。【００１７】  次に、これらの実施例の寸法をそれぞれ示すと、先ず、チューブ（１）の寸法は、外径６ｍｍ、チューブ空洞部内径３ｍｍ、長さ３．０ｃｍで実施し、チューブ（１）の中に差し込む端子の円柱型足（７Ａ）（７Ｂ）の寸法は、外径３．５ｍｍ、その長さを６ｍｍで実施する。又、端子の頭（６Ａ）は楕円錐の様な形状で、その高さは７ｍｍとする。
又、チューブの中に差し込む磁石接続端子（５Ａ）（５Ｂ）の寸法は、外径３．５ｍｍ、長さ６ｍｍの円柱型とし、そして、ゴム糸（２）の寸法は、外径１．８ｍｍ、内径１．４ｍｍの中空構造で長さは２．３ｃｍである。【００１８】  以上の様なゴム糸の長さ２．３ｃｍと、チューブの長さ３．０ｃｍ２本の長さの合計は、８．３ｃｍになる。これは独自の統計データにより算出した値で、日本の男性器の平常時のサイズを元に設定した数値である。【００１９】  男性器が勃起した時は、一般的に陰茎が太くなるのでこの合計数値では不足する。その不足分に対応できるようゴム糸の伸びの特性でカバーする。また、勃起時にゴム糸が陰茎を締め付けないようにクッション性のある中空型のゴム糸で実施する。
尚、男性器のサイズが異なっても磁石（４）の数を増減することで各サイズに対応するが、その説明は図４の実施例２及び実施例３で解説する。【００２０】  実施の素材の一例として、チューブ（１Ａ）（１Ｂ）は天然ゴムを、ゴム糸（２）はシリコン樹脂、端子の頭（６Ａ）（６Ｂ）はエラストマー樹脂、端子の足（７Ａ）（７Ｂ）はＡＢＳ樹脂、磁石（４）は球型のネオジム磁石を使用し磁石接続端子（５Ａ）（５Ｂ）は、円筒型のネオジム磁石で着磁特性は厚み方向着磁とする。【００２１】  加えて、チューブの中に、外径２ｍｍ、長さ６ｍｍの円柱型で径方向着磁のネオジム磁石（９Ａ）（９Ｂ）を入れることで磁力が更に増す。尚、チューブ（１Ａ）（１Ｂ）の中にこれらの磁石を複数個入れる事が出来るが実施例の図２では左右１個ずつとした。【００２２】  図３は、請求項２記載のゴム糸の両端にゴム糸接続端子を繋いだ概略断面図である。
図に示す様にゴム糸接続端子（３Ａ）（３Ｂ）を向き合わせに配置する。これらの端子は端子の頭（６Ａ）（６Ｂ）と端子の足（７Ａ）（７Ｂ）で構成し、その左右のゴム糸接続端子の足（７Ａ）（７Ｂ）を横に貫通する穴（８Ａ）（９Ａ）と（８Ｂ）（９Ｂ）が開いている。【００２３】  図のように端子と端子をゴム糸で繋ぐには、ゴム糸（２）の一端を貫通穴（９Ａ）の背後から通し、前面に抜け、その足に巻き付けながら上方向の（８Ａ）の穴を背後から潜り抜け前面に引き出し、向かい合わせた端子（３Ｂ）の端子足（７Ｂ）前面の貫通穴（８Ｂ）をから差し込み、背後に引き出し、下方向に巻き付け（９Ｂ）の前面の穴から背後に通すことで左右のゴム糸接続端子がゴム糸（２）でしっかり結ばれ固定できる。【００２４】  図のように各足に巻きつけて繋ぐことで、ゴム糸が伸びたり縮んだりしても元にもどった時、端子と端子の間隔が一定に保たれる。
【実施例２】
【００２５】  図４は図２の実施例で述べたように男性器のサイズが異なっても使えるように磁石の数を増減した実施例の概略図である。【００２６】  実施例２では５通りを示し、図に付してある番号の４−１から４−５の順に説明する。本考案では男性器の平均サイズに対応する磁石を３個として設計してある。
男性器のサイズが平均より小さな人は磁石の数を減らすか磁石を小さくすることで対応し、逆に平均より大きな人は磁石の数を増やすか磁石を大きくして対応する。尚、図４の４−５迄の実施例は、磁石の数を増減する以外の素材、寸法等は図２の実施例の通りである。【００２７】  まず、図４の４−１は、磁石を３個組み合わせた日本人の男性器の平均サイズに対応した実施例である。この実施例は、真ん中の磁石を左右の磁石より小さい磁石にしている実施例である。小さい磁石は直径５ｍｍ、大きい磁石は直径６ｍｍの球型磁石で実施する。
尚、実施図によらず大小３個の組み合わせで好みに合わせ実施することができる。【００２８】  次に４−２の実施例を説明するが、この図は磁石の数を１個としたものである。
磁石を１個にすると全体的にコンパクトサイズになることから男性器のサイズが特に小さな人に適している。使用する磁石の直径は６ｍｍ、５ｍｍ、４ｍｍで適宜選択する。【００２９】  次の４−３の実施例は磁石の数を２個としこれも平均より小さめな方に対応している。【００３０】  そして、４−４は磁石の数を５個としているが、左右２個ずつは同じ大きさの磁石であり、真ん中に小さな磁石を組み込んだ実施例である。この実施例は、平均サイズより大きな人に適している。更に大きなサイズの人には磁石の数を継ぎ足すか、大きなサイズの磁石を組み込んでいけば、その人のサイズに適した大きさの仮性包茎器具が出来る。【００３１】  ４−５は９個の磁石を組み合わせた実施例である。実施例では中央の磁石の大きさを大きなものを組み合わせているが、磁石の大きさは小さくても同じ大きさでも良い。
また、図４で示すような磁石の組み合わせを実施する時のチューブの長さは、男性器のサイズに応じて長くしたり短くしたりすることも可能である。
以上のように図４に示す実施例おいては、磁石の数や大きさを変え、好みに合わせた組み合わせができる。
【実施例３】
【００３２】図４の４−６は、請求項３記載の実施例であって、チューブ（１）と複数個の球型磁石（４）と磁石接続端子（５Ａ）（５Ｂ）で構成し、伸縮するゴム糸を不要とした構造となっている。
このタイプは勃起時と平常時の太さが変わらない人に向いていて、使用する時は男性器のサイズに合わせ磁石の数を増減し最適な個数を組み合わせればその人のサイズとなる。
【実施例４】
【００３３】  図５は図４の４−５の磁石９個を組み合わせた磁石の部分にシリコン等の皮膜で覆った構造の概略図である。これは、多くの磁石球が肌の最も敏感な部分に直接接触すると違和感がある為、その軽減のため磁石をシリコン樹脂等で覆い磁石が直接肌に接触しないようにするものである。【００３４】  図５のチューブ（１Ａ）（１Ｂ）の長さは、必要に応じ３．０ｃｍから１．５ｃｍ迄短くできる。実施する球型磁石の直径は６ｍｍで、９個全て同じ大きさで示してあるが、好みや男性器のサイズにより適宜変更する。
この実施例で使用する端子（３Ａ）（３Ｂ）はこれまでの実施例と異なり次の図６で説明する実施例の端子を使用しても良い。【００３５】  以上述べた球型磁石の色は光沢のあるアルミメッキ色の他、金色、銀色、赤色、白色、黄色、青色、緑色と好みの色に着色した磁石を使うことができる。実施する磁石には尿や汗等による錆びや腐食を防止のため着色したナイロンコーティング又はエポキシ樹脂コーティング等の耐食性加工とする。
【実施例５】
【００３６】  図６は図５で実施する端子の詳細であり、図３で説明したゴム糸接続端子の頭部分を異なった形態にした実施例である。
図のようにゴム糸の通し口（１２Ａ）（１２Ｂ）が端子頭の頭上にあるのが特徴である。それ以外の、ゴム糸を通す貫通穴や実施素材や形状は図３の実施例と同じである。この実施例の端子は図４−１や、図５に示すような磁石を多く繋ぐときに使用する。
【実施例６】
【００３７】  図７は仮性包茎器具と落下防止のストラップを組み合わせた本考案の概略図である
これまで説明した本考案の仮性包茎器具を使用中に、万が一外れた時、該器具が足元に落下するのを未然に防ぐものである。
実施例として、下着等に固定する留め具（１３）と、ストラップの紐（１４）と、包茎器具保持用磁石（１５）からなり、図のように留め具（１３）をパンツ等の縁に留めて固定し、それをストラップの紐で結び、その紐の片方に包茎器具保持用磁石（１５）を付け、本考案包茎器具の磁石部（４）とを吸着保持させて使用する落下防止用ストラップである。実施する留め具（１３）は、合成樹脂等で製造してあるクリップ型又は安全ピン型で、ストラップの紐（１４）は、たこ糸、細い組紐、伸び縮みするコイル紐等で構成する。この保持用磁石の形状は図ではドーナツ型で説明しているが、実施に当たっては球状でも良い。
【実施例７】
【００３８】  図８は仮性包茎器具を装着した時のイメージ概略図である。
図４の実施例２及び実施例３の考案本体を男性器に装着する時のイメージは、先ず環状に構成している包茎器具の磁石（４）と磁石の接合部に親指の爪を立て、左右分けるように押込んでこれらを引き離し、図のように解放し開いた状態のまま、陰茎を跨ぐようにかぶせた後、磁石と磁石をくっ付けて装着完了となる。
外す時も装着時と同様に磁石（４）と磁石の接合部に親指の爪を立て、左右押し分ける様に磁石同士を引き離し、解放した状態で広げたまま陰茎から抜き取れば外すことができる。
【産業上の利用可能性】
【００３９】  本考案は、包茎器具以外に包皮が放尿口を覆っていて放尿の方向が定まらない人や、要介護状態の仮性包茎の人の排尿を容易にする器具として、また、要支援状態の人が本考案品を装着しておけば、自力で排尿するとき便器や床を汚さない等の利用価値がある。
【符号の説明】
【００４０】  １Ａ  チューブ
２    ゴム糸
３Ａ  ゴム糸接続端子
４    磁石
５Ａ  磁石接続端子
７Ａ  ゴム糸接続端子の足
８Ａ  足貫通穴
１０  皮膜
１４  ストラップの紐
１５  器具保持用磁石
【図１】
0003190249.tif 000003
【図２】
0003190249.tif 000004
【図３】
0003190249.tif 000005
【図４】
0003190249.tif 000006
【図５】
0003190249.tif 000007
【図６】
0003190249.tif 000008
【図７】
0003190249.tif 000009
【図８】
0003190249.tif 000010